【手続補正書】
【提出日】平成31年2月22日(2019.2.22)
【手続補正１】
【補正対象書類名】特許請求の範囲
【補正対象項目名】全文
【補正方法】変更
【補正の内容】
【特許請求の範囲】
【請求項１】
レコードを再生するときに使用するためのターンテーブル組立体であって、
トーンアームと、
前記トーンアームに取り付けられたレーザー発光源と、
前記レーザー発光源によって発生させられた光を感知するためのセンサと、
前記センサによって感知された光強度の関数として前記トーンアームの位置を調節するように構成された移動アクチュエータと
を備えるターンテーブル組立体。
【請求項２】
前記トーンアームに取り付けられたスライド可能基部をさらに備え、前記移動アクチュエータは、少なくとも前後方向に前記スライド可能基部を移動することで、前記トーンアームの位置を調節する、請求項１に記載のターンテーブル組立体。
【請求項３】
前記光強度は前記トーンアームの位置の関数である、請求項１に記載のターンテーブル組立体。
【請求項４】
前記移動アクチュエータは電磁組立体を備え、前記センサにおいて感知される光の強度が増加するにつれて、前記電磁組立体の構成要素に及ぼされる電磁力が調節される、請求項１に記載のターンテーブル組立体。
【請求項５】
前記レーザー発光源からの光を前記センサに向けて屈折するように構成されたビームスプリッタをさらに備える、請求項１に記載のターンテーブル組立体。
【請求項６】
前記センサから離間した位置に配置されると共に、屈折された光を前記ビームスプリッタから受光する位置に配置された第２のセンサをさらに備える、請求項５に記載のターンテーブル組立体。
【請求項７】
少なくとも１つの後旋回部および少なくとも１つの前旋回部を有するトーンアームと、
前記トーンアームに取り付け可能なレーザー発光源と、
前記レーザー発光源からレーザーを受光するための受光器と、
前記トーンアームの後部に取り付け可能な移動可能基部と、
前記移動可能基部に取り付け可能な移動アクチュエータであって、前記レーザー発光源からのレーザービームが前記受光器のビームスプリッタに当たる位置の関数として移動するように構成された、移動アクチュエータと
を備えるトーンアーム組立体。
【請求項８】
レコードを再生するときに使用するためのターンテーブルシステムあって、
トーンアームと、
前記トーンアームに取り付けられた移動アクチュエータであって、制御信号を光強度の関数として受信するように構成された電磁組立体を備える、移動アクチュエータと
を備えるターンテーブルシステム。
【請求項９】
光強度の前記関数は、２つの異なる光強度の間の差分測定を含む、請求項８に記載のターンテーブルシステム。
【請求項１０】
前記トーンアームに取り付けられたレーザー光源をさらに備え、前記レーザー光源から発せられたレーザー光を分割するためのビームスプリッタをさらに備える、請求項８に記載のターンテーブルシステム。
【請求項１１】
前記トーンアームは、少なくとも２つの別々の細長い延在部材を備え、前記細長い延在部材のうちの第１の細長い延在部材は、それに取り付けられた第１の安定化磁石を備え、前記細長い延在部材のうちの第２の細長い延在部材は、それに取り付けられた少なくとも２つの安定化磁石を備え、前記トーンアームは複数の位置へと旋回可能であり、前記位置のうちの少なくとも１つにおいて、前記第１の安定化磁石は、前記２つの安定化磁石の間のほぼ長手方向中間位置と位置合わせされ、前記２つの安定化磁石から等距離である、請求項８に記載のターンテーブルシステム。
【請求項１２】
前記旋回可能なトーンアームの前記位置のうちの少なくとも第２の位置において、前記第１の安定化磁石は、前記２つの安定化磁石のうちの一方よりも、前記２つの安定化磁石のうちの少なくとも他方の近くに位置合わせされる、請求項１１に記載のターンテーブルシステム。
【手続補正２】
【補正対象書類名】明細書
【補正対象項目名】発明の名称
【補正方法】変更
【補正の内容】
【発明の名称】ターンテーブル組立体、トーンアーム組立体、及びターンテーブルシステム
【手続補正３】
【補正対象書類名】明細書
【補正対象項目名】００３０
【補正方法】変更
【補正の内容】
【００３０】
図面のすべてを含む、本明細書に記載されている様々な実施形態は、他に明示的に指示されていない場合、本開示の比限定的な例の実施形態として提示される。本開示を概観した後、個々の当業者は、本発明の精神から逸脱することなく、一部の詳細および特徴が追加、排除、および／または変更できることを、すぐに理解するものである。本明細書を通じて、「一実施形態」、「実施形態」「追加の実施形態」、または「一部の実施形態」、および類似した用語への言及は、実施形態との関連で記載された具体的な特徴、構造、または特性が、少なくとも１つの実施形態または一部の実施形態に含まれることを意味するが、必ずしもすべての実施形態に含まれるとは限らず、そのため、必ずしも同じ実施形態に言及していない。さらに、具体的な特徴、構造、または特性は、１つまたは複数の実施形態において、任意の適切な手法で組み合わされてもよい。これらの変更および他の変更は、先の詳述した記載に鑑みて、実施形態に行われ得る。概して、以下の請求項において、使用されている用語は、請求項を、明細書および請求項で開示された特定の実施形態に限定するように解釈されるべきではないが、このような請求項が与えられる均等の完全な範囲を伴うすべての可能な実施形態を含むように解釈されるべきである。したがって、請求項は、開示によって限定されない。
（項目１）
レコードを再生するときに使用するためのターンテーブル組立体であって、
トーンアームと、
前記トーンアームに取り付けられたレーザー発光源と、
前記レーザー発光源によって発生させられた光を感知するためのセンサと、
前記センサによって感知された光強度の関数として前記トーンアームの位置を調節するように構成された移動アクチュエータと
を備えるターンテーブル組立体。
（項目２）
前記トーンアームに取り付けられたスライド可能基部をさらに備え、前記移動アクチュエータは、少なくとも前後方向に前記スライド可能基部を移動することで、前記トーンアームの位置を調節する、項目１に記載のターンテーブル組立体。
（項目３）
前記トーンアームは前記スライド可能基部に旋回可能に搭載される、項目２に記載のターンテーブル組立体。
（項目４）
前記光強度は前記トーンアームの位置の関数である、項目１に記載のターンテーブル組立体。
（項目５）
前記移動アクチュエータは電磁組立体を備え、前記センサにおいて感知される光の強度が増加するにつれて、前記電磁組立体の構成要素に及ぼされる電磁力が調節される、項目１に記載のターンテーブル組立体。
（項目６）
前記レーザー発光源からの光を前記センサに向けて屈折するように構成されたビームスプリッタをさらに備える、項目１に記載のターンテーブル組立体。
（項目７）
前記センサから離間した位置に配置されると共に、屈折された光を前記ビームスプリッタから受光する位置に配置された第２のセンサをさらに備える、項目６に記載のターンテーブル組立体。
（項目８）
前記センサおよび前記第２のセンサによって感知された光強度の差を、前記移動アクチュエータにおいて電磁強度を調節するための電気信号へと変換する信号変換器をさらに備える、項目７に記載のターンテーブル組立体。
（項目９）
前記トーンアームは、少なくとも第１の細長い延在部材と、少なくとも第２の細長い延在部材とを備え、第１の安定化磁石が前記第１の細長い延在部材に配置され、少なくとも第２の安定化磁石と第３の安定化磁石とが前記第２の細長い延在部材に配置され、前記第１の安定化磁石は、前記第２の安定化磁石および前記第３の安定化磁石の反対側に位置決めされ、前記トーンアームが前記移動アクチュエータの構成要素に対して固定された位置に旋回可能に取り付けられるとき、前記トーンアームの少なくとも１つの旋回可能な位置において、前記第２の安定化磁石と前記第３の安定化磁石との間のほぼ中間位置と長手方向で位置合わせされる、項目１に記載のターンテーブル組立体。
（項目１０）
前記センサに対して固定された向きで位置決めされると共に、前記ターンテーブル組立体が固定して搭載され得るプラッタの中心スピンドルと位置合わせ可能な較正レーザーを発するように構成された、較正レーザーをさらに備える、項目１に記載のターンテーブル組立体。
（項目１１）
第１の細長い延在部材と、
第２の細長い延在部材と、
前記第１の細長い延在部材に配置された少なくとも第１の安定化磁石と、
前記第２の細長い延在部材に配置された少なくとも２つの別々の安定化磁石と
を備えるトーンアーム。
（項目１２）
別々の対応する位置に各々が旋回可能に取り付け可能である前記第１の細長い延在部材および前記第２の細長い延在部材の各々に配置された少なくとも１つの旋回部材があり、前記第１の細長い延在部材および前記第２の細長い延在部材は、前記旋回部材によって、前記対応する位置に取り付けられ、前記第１の安定化磁石は、前記２つの安定化磁石の反対側に位置決めされ、前記トーンアームの少なくとも１つの旋回位置において、前記２つの安定化磁石の間のほぼ長手方向中間位置と長手方向で位置合わせされる、項目１１に記載のトーンアーム。
（項目１３）
前記細長い延在部材のうちの少なくとも一つに搭載されるレーザー発光源をさらに備える、項目１１に記載のトーンアーム。
（項目１４）
前記レーザー発光源は、前記トーンアームのカートリッジ取り付け位置の後方に配置され、それにより、使用者が、前記レーザー発光源を動かすことなく前記カートリッジを交換することができる、項目１３に記載のトーンアーム。
（項目１５）
少なくとも１つの後旋回部および少なくとも１つの前旋回部を有するトーンアームと、
前記トーンアームに取り付け可能なレーザー発光源と、
前記レーザー発光源からレーザーを受光するための受光器と、
前記トーンアームの後部に取り付け可能な移動可能基部と、
前記移動可能基部に取り付け可能な移動アクチュエータであって、前記レーザー発光源からのレーザービームが前記受光器のビームスプリッタに当たる位置の関数として移動するように構成された、移動アクチュエータと
を備えるトーンアーム組立体。
（項目１６）
トーンアームを制御する方法であって、
レーザービームを発するステップと、
前記レーザービームを２つの光線に分割するステップと、
前記２つの光線の各々の光強度を測定するステップと、
前記トーンアームの位置を、前記２つの光線の光強度の間の差の関数として調節するステップと
を含む方法。
（項目１７）
前記位置を調節するステップは、前記トーンアームの基部に及ぼされる電磁力を制御することを含む、項目１６に記載の方法。
（項目１８）
前記トーンアームが旋回されるとき、前記トーンアームの両側の部分において磁石を位置合わせし、前記位置合わせをずらすことで、前記トーンアームをスケートに対して安定化させるステップをさらに含む、項目１６に記載の方法。
（項目１９）
レコードを再生するときに使用するためのターンテーブルシステムあって、
トーンアームと、
前記トーンアームに取り付けられた移動アクチュエータであって、制御信号を光強度の関数として受信するように構成された電磁組立体を備える、移動アクチュエータと
を備えるターンテーブルシステム。
（項目２０）
光強度の前記関数は、２つの異なる光強度の間の差分測定を含む、項目１９に記載のターンテーブルシステム。
（項目２１）
前記トーンアームに取り付けられたレーザー光源をさらに備え、前記レーザー光源から発せられたレーザー光を分割するためのビームスプリッタをさらに備える、項目１９に記載のターンテーブルシステム。
（項目２２）
前記トーンアームは、少なくとも２つの別々の細長い延在部材を備え、前記細長い延在部材のうちの第１の細長い延在部材は、それに取り付けられた第１の安定化磁石を備え、前記細長い延在部材のうちの第２の細長い延在部材は、それに取り付けられた少なくとも２つの安定化磁石を備え、前記トーンアームは複数の位置へと旋回可能であり、前記位置のうちの少なくとも１つにおいて、前記第１の安定化磁石は、前記２つの安定化磁石の間のほぼ長手方向中間位置と位置合わせされ、前記２つの安定化磁石から等距離である、項目１９に記載のターンテーブルシステム。
（項目２３）
前記旋回可能なトーンアームの前記位置のうちの少なくとも第２の位置において、前記第１の安定化磁石は、前記２つの安定化磁石のうちの一方よりも、前記２つの安定化磁石のうちの少なくとも他方の近くに位置合わせされる、項目２２に記載のターンテーブルシステム。